(57)【特許請求の範囲】
【請求項１】
携帯電話からの通話に基づいて指定された暗号化音楽データ、前記暗号化音楽データに関連する著作権情報、および前記暗号化音楽データを復号するコンテンツキーを暗号化した暗号化コンテンツキーを前記携帯電話に送信することにより音楽データを配信する音楽配信システムに用いる携帯電話であって、
携帯電話の電話番号に依存した固有ＩＤと、
著作権情報、コンテンツキーによって暗号化された暗号化音楽データ、および前記固有ＩＤに基づいて暗号化された暗号化コンテンツキーを１単位とする複数の音楽データとを記録可能なｎ個の媒体と、
前記固有ＩＤを生成する固有ＩＤ生成部と、
前記ｎ個の媒体から少なくとも１枚の媒体を抽出し、その抽出された媒体に記録された音楽データのうち、所望の音楽データを選択するための入力部と、
前記固有ＩＤ生成部により生成された固有ＩＤと、受信した暗号化音楽データ、著作権情報、および暗号化コンテンツキーとを媒体に記録すると共に、
前記入力部からの入力に基づいて、抽出された媒体に記録された所望の音楽データを読み出し、その読み出した所望の音楽データを前記抽出された媒体と異なる他の媒体に記録すると共に、前記抽出された媒体から読み出され、前記他の媒体に記録された音楽データを構成する暗号化コンテンツキーを、前記抽出された媒体から消去するデータ編集部と、
媒体に記録された音楽データを再生するデータ再生部とを含む音楽配信システムに用いる携帯電話。
【請求項２】
前記データ編集部は、前記入力部からの入力に基づいて、抽出された媒体に記録された所望の音楽データを読み出すデータ読み出し部と、
前記固有ＩＤ生成部により生成された固有ＩＤと、受信した暗号化音楽データ、著作権情報、および暗号化コンテンツキーとを媒体に記録すると共に、
前記データ読み出し部により読み出された所望の音楽データを前記抽出された媒体と異なる他の媒体に記録するデータ記録部と、
前記抽出された媒体から読み出され、前記他の媒体に記録された音楽データを構成する暗号化コンテンツキーを、前記抽出された媒体から消去するデータ消去部とを含む請求項１記載の音楽配信システムに用いる携帯電話。
【請求項３】
前記データ編集部は、前記入力部からの入力に基づいて、抽出された媒体に記録された所望の音楽データを読み出すデータ読み出し部と、
前記データ読み出し部により読み出された所望の音楽データを記憶する記憶部と、
前記固有ＩＤ生成部により生成された固有ＩＤと、受信した暗号化音楽データ、著作権情報、および暗号化コンテンツキーとを媒体に記録すると共に、
前記記憶部に記憶された所望の音楽データを前記抽出された媒体と異なる他の媒体に記録するデータ記録部と、
前記抽出された媒体から読み出され、前記他の媒体に記録された音楽データを構成する暗号化コンテンツキーを、前記抽出された媒体から消去するデータ消去部とを含む請求項１記載の音楽配信システムに用いる携帯電話。
【発明の詳細な説明】
【０００１】
【発明の属する技術分野】
本発明は、コピーされた音楽に対する著作権保護を実現した音楽配信システムに用いる携帯電話に関するものである。
【０００２】
【従来の技術】
現在、音楽情報を記録したＣＤ（コンパクトディスク）が販売されており、ＣＤから光磁気ディスク（ＭＤ）への音楽情報のコピーは自由に行うことができる。
【０００３】
一方、ＣＤからＭＤへ音楽情報をコピーした場合、ＭＤから更に他のＭＤに音楽情報をコピーすることは、著作権を侵害するとして不可能である。
【０００４】
即ち、現在では、親から子へのコピーは自由に行うことができるが、孫へのコピーはできないことになっている。
【０００５】
【発明が解決しようとする課題】
しかし、現在のようなシステムでは、音楽情報の自由な供給が困難であり、音楽情報を記録再生する機器を製造する製造業者にとっても不公正なシステムになっている。
【０００６】
一方、自由に音楽情報をコピーできるようにした場合、著作権侵害の問題も生じる。
【０００７】
そこで、本出願人は、かかる問題を解決し、コピーされた音楽に対して著作権の保護を行い、配信業者、アーティスト、音楽リスナー、機器製造業者に公正なシステムを構築することを目的とした音楽配信システムについて特許出願をしている（平成１１年特許願第１２８９０４号等）。
【０００８】
しかし、平成１１年特許願第１２８９０４号等に開示された音楽配信システムにおいては、受信した複数の音楽データを記録した複数の媒体から、所望する音楽データだけを読み出し、その読み出した音楽データを別の媒体に記録する、いわゆる編集機能については開示されていない。
【０００９】
そこで、本願発明は、著作権を保護しながら、複数の媒体に記録された複数の音楽データから所望の音楽データを選択して媒体に記録する編集機能を有する音楽配信システムに用いる携帯電話を提供することを目的とする。
【００１０】
【課題を解決するための手段および発明の効果】
請求項１に係る発明は、携帯電話からの通話に基づいて指定された暗号化音楽データ、暗号化音楽データに関連する著作権情報、および暗号化音楽データを復号するコンテンツキーを暗号化した暗号化コンテンツキーを通話した携帯電話に送信することにより音楽データを配信する音楽配信システムに用いる携帯電話であって、
携帯電話の電話番号に依存した固有ＩＤと、
著作権情報、コンテンツキーによって暗号化された暗号化音楽データ、および固有ＩＤに基づいて暗号化された暗号化コンテンツキーを１単位とする複数の音楽データとを記録可能なｎ個の媒体と、
固有ＩＤを生成する固有ＩＤ生成部と、
ｎ個の媒体から少なくとも１枚の媒体を抽出し、その抽出された媒体に記録された音楽データのうち、所望の音楽データを選択するための入力部と、
固有ＩＤ生成部により生成された固有ＩＤと、受信した暗号化音楽データ、著作権情報、および暗号化コンテンツキーとを媒体に記録すると共に、
入力部からの入力に基づいて、抽出された媒体に記録された所望の音楽データを読み出し、その読み出した所望の音楽データを抽出された媒体と異なる他の媒体に記録すると共に、抽出された媒体から読み出され、他の媒体に記録された音楽データを構成する暗号化コンテンツキーを、抽出された媒体から消去するデータ編集部と、
媒体に記録された音楽データを再生するデータ再生部とを含む音楽配信システムに用いる携帯電話である。
【００１１】
請求項１に記載された音楽配信システムに用いる携帯電話においては、固有ＩＤと、受信した暗号化音楽データ、著作権情報、および暗号化コンテンツキーとを媒体に記録することにより希望する暗号化音楽データの配信を受ける。そして、配信された複数の暗号化音楽データが記録された複数の媒体から、特に、希望する暗号化音楽データだけを選択して他の媒体に記録する。この場合、希望する暗号化音楽データに関連する著作権情報、および暗号化コンテンツキーも暗号化音楽データと共に他の媒体に複製され、暗号化コンテンツキーだけが希望する暗号化音楽データが記録されていた元の媒体から消去される。この動作を繰り返すことにより複数の媒体に記録された複数の暗号化音楽データのうち、希望する暗号化音楽データ等を暗号化コンテンツキーを元の媒体から消去しながら他の媒体に移動する。
【００１２】
従って、請求項１に記載された発明によれば、音楽データを受信した携帯電話の持ち主は、希望する暗号化音楽データを、暗号化コンテンツキーを元の媒体から消去しながら別の媒体に編集することになり、元の媒体に残された暗号化音楽データを再生する場合には、再度、暗号化コンテンツキーを受信する必要があるため、著作権を保護しながら暗号化音楽データの編集が可能である。
【００１３】
また、請求項２に係る発明は、請求項１に記載された音楽配信システムに用いる携帯電話において、データ編集部は、入力部からの入力に基づいて、抽出された媒体に記録された所望の音楽データを読み出すデータ読み出し部と、
固有ＩＤ生成部により生成された固有ＩＤと、受信した暗号化音楽データ、著作権情報、および暗号化コンテンツキーとを媒体に記録すると共に、
データ読み出し部により読み出された所望の音楽データを抽出された媒体と異なる他の媒体に記録するデータ記録部と、
抽出された媒体から読み出され、他の媒体に記録された音楽データを構成する暗号化コンテンツキーを、抽出された媒体から消去するデータ消去部とを含む音楽配信システムに用いる携帯電話である。
【００１４】
請求項２に記載された音楽配信システムに用いる携帯電話においては、入力部からの入力に基づいて希望する音楽データが抽出された媒体から読み出され、その音楽データを構成する暗号化コンテンツキーが消去される。そして、読み出された音楽データは抽出された媒体と異なる他の媒体に記録される。
【００１５】
従って、請求項２に記載された発明によれば、携帯電話には、抽出された媒体と他の媒体とが装着されているので、携帯電話への媒体の挿脱をしなくても希望する音楽データを編集できる。
【００１６】
また、請求項３に係る発明は、請求項１に記載された音楽配信システムに用いる携帯電話において、データ編集部は、入力部からの入力に基づいて、抽出された媒体に記録された所望の音楽データを読み出すデータ読み出し部と、
データ読み出し部により読み出された所望の音楽データを記憶する記憶部と、固有ＩＤ生成部により生成された固有ＩＤと、受信した暗号化音楽データ、著作権情報、および暗号化コンテンツキーとを媒体に記録すると共に、
記憶部に記憶された所望の音楽データを抽出された媒体と異なる他の媒体に記録するデータ記録部と、
抽出された媒体から読み出され、他の媒体に記録された音楽データを構成する暗号化コンテンツキーを、抽出された媒体から消去するデータ消去部とを含む音楽配信システムに用いる携帯電話である。
【００１７】
請求項３に記載された音楽配信システムに用いる携帯電話においては、編集しようとする音楽データが記録された媒体を携帯電話に装着し、編集する音楽データを読み出し、その読み出した音楽データを記憶部に記憶すると共に、その読み出した音楽データを構成する暗号化コンテンツキーを消去する。そして、編集する音楽データの読み出しが終了した後、他の媒体を携帯電話に装着し、記憶部に記憶した音楽データを他の媒体に記録する。
【００１８】
従って、請求項３に記載された発明によれば、１枚の媒体しか装着できない携帯電話であっても、迅速に音楽データの編集ができる。
【００１９】
【発明の実施の形態】
本発明の実施の形態を図を参照しつつ説明する。図１を参照して、音楽配信システムの概念について説明する。音楽配信システム１００は、携帯電話１と、音楽情報サーバ１０とから構成され、携帯電話１は、音楽情報サーバ１０へ通話して希望する音楽データを指定する。３曲の音楽データを指定したとすると、各音楽データを構成する暗号化音楽データ、暗号化コンテンツキー、および著作権情報が音楽情報サーバ１０から携帯電話１へ送信される。即ち、音楽情報サーバ１０からは、暗号化音楽データ（１）２０５、暗号化音楽データ（１）２０５を復号する暗号化コンテンツキー（１）２０２、暗号化音楽データ（１）２０５に関連する著作権情報（１）２０６、暗号化音楽データ（２）２０７、暗号化音楽データ（２）２０７を復号する暗号化コンテンツキー（２）２０３、暗号化音楽データ（２）２０７に関連する著作権情報（２）２０８、暗号化音楽データ（３）２０９、暗号化音楽データ（３）２０９を復号する暗号化コンテンツキー（３）２０４、および暗号化音楽データ（３）２０９に関連する著作権情報（３）２１０が携帯電話１へ送信される。
【００２０】
これらのデータを受信した携帯電話１は、その受信したデータ、および自ら生成した固有ＩＤ２０１をメモリカード２０に記録する。そして、記録した暗号化音楽データ（１）２０５、（２）２０７、（３）２０９を、それぞれ、暗号化コンテンツキー（１）２０２、（２）２０３、（３）２０４で復号して再生し、ヘッドホーン１５を通して音楽を聴くことができる。
【００２１】
図２を参照して、携帯電話１と、音楽情報サーバ１０との動作を詳細に説明する。携帯電話１は、固有ＩＤ生成部８０と、コントローラ８１と、メモリコントローラ８２と、バス８３と、データ編集部８４と、データ再生部８５と、受信部８６と、入力部８３０と、メモリカード２０とを備える。
【００２２】
固有ＩＤ生成部８０は、携帯電話１の電話番号に基づいて固有ＩＤ２０１を生成する。例えば、携帯電話１の電話番号が「０９００００００００１」の場合、固有ＩＤ２０１は、「９０９９９９９９９９９」のように生成される。
【００２３】
また、コントローラ８１は、携帯電話１の各部を制御する。
【００２４】
また、メモリコントローラ８２は、コントローラ８１の制御に基づいてメモリカード２０に固有ＩＤ２０１、暗号化コンテンツキー（１）２０２、暗号化音楽データ（１）２０５、著作権情報（１）２０６等を記録、読み出し、および／または再生のためにデータ編集部８４、データ再生部８５を制御する。
【００２５】
また、バス８３は、各部が固有ＩＤ２０１、暗号化コンテンツキー（１）２０２、暗号化音楽データ（１）２０５、著作権情報（１）２０６等を入出力する経路である。
【００２６】
また、データ編集部８４は、データ記録部８４０を含み、データ記録部８４０を介して固有ＩＤ生成回路８０により生成された固有ＩＤ２０１と、音楽情報サーバから受信した暗号化コンテンツキー（１）２０２、暗号化音楽データ（１）２０５、著作権情報（１）２０６等とをメモリカード２０に記録すると共に、後述するように暗号化コンテンツキー、暗号化音楽データ、および著作権情報を１単位とする音楽データの編集を行う。
【００２７】
また、データ再生部８５は、メモリカード２０に記録された暗号化音楽データ（１）２０５を暗号化コンテンツキー（１）２０２により復号し、再生する。
【００２８】
また、受信部８６は、音楽情報サーバ１０から暗号化コンテンツキー（１）２０２、暗号化音楽データ（１）２０５、著作権情報（１）等のデータを受信する。
【００２９】
また、入力部８３０は、各種の入力を行う。
【００３０】
次に、音楽情報サーバ１０は、受信部８７と、固有ＩＤ認識回路８８と、暗号化コンテンツキー生成回路８９と、データ部９０と、送信部９１とを備える。
【００３１】
受信部８７は、携帯電話１からの通話を受信し、携帯電話の電話番号を固有ＩＤ認識回路８８へ出力し、指定された音楽データに関する情報をデータ部９０へ出力する。
【００３２】
また、固有ＩＤ認識回路８８は、受信部８７で受信した携帯電話１の電話番号から携帯電話１の固有ＩＤ２０１を認識する。
【００３３】
また、暗号化コンテンツキー生成回路８９は、固有ＩＤ認識回路８８が認識した固有ＩＤ２０１に基づいて、携帯電話からの通話により指定された暗号化音楽データを復号するコンテンツキーを暗号化して暗号化コンテンツキーを生成し、その生成した暗号化コンテンツキーを送信部９１へ出力する。
【００３４】
また、データ部９０は、暗号化音楽データ、暗号化音楽データに関する著作権情報、および暗号化音楽データを復号するコンテンツキーがセットとして収納しており、「コンテンツキー１、暗号化音楽データ１、著作権情報１」、「コンテンツキー２、暗号化音楽データ２、著作権情報２」、・・・・・のように複数の暗号化音楽データが著作権情報、およびその暗号化音楽データを復号するコンテンツキーと共に収納されている。そして、受信部８７から指定された音楽データに関する情報を入力し、その指定された暗号化音楽データを復号するコンテンツキーを暗号化コンテンツキー生成回路８９へ出力し、暗号化音楽データと著作権情報とを送信部９１へ出力する。例えば、暗号化音楽データ１が指定された場合には、コンテンツキー１を暗号化コンテンツキー生成回路８９へ出力し、暗号化音楽データ１と著作権情報１とを送信部９１へ出力する。
【００３５】
また、送信部９１は、暗号化音楽データ、暗号化コンテンツキー、および著作権情報を携帯電話１へ送信する。
【００３６】
音楽情報サーバ１０から暗号化音楽データを購入したい場合は、音楽情報サーバ１０の電話番号を入力部８３０から入力し、音楽情報サーバ１０へ電話する。そして、音楽情報サーバ１０と通話状態になると音楽情報サーバ１０が有する暗号化音楽データのリストが携帯電話１の表示部（図示省略）に表示され、携帯電話１の持ち主は、そのリストの中から希望する暗号化音楽データの番号を入力部８３０で入力する。
【００３７】
音楽情報サーバ１０の受信部８７は、携帯電話１からの通話により携帯電話１の電話番号と希望する音楽データを指定する暗号化データの番号とを受信し、携帯電話１の電話番号を固有ＩＤ認識回路８８へ出力し、音楽データを指定する暗号化音楽データの番号をデータ部９０へ出力する。
【００３８】
固有ＩＤ認識回路８８は、入力した携帯電話１の電話番号から携帯電話１の固有ＩＤ２０１を認識し、その認識した固有ＩＤ２０１を暗号化コンテンツキー生成回路８９へ出力する。
【００３９】
データ部９０は、受信部８７から音楽データを指定する暗号化音楽データの番号を入力すると、その番号に対応する暗号化音楽データと、その暗号化音楽データに関する著作権情報を送信部９１へ出力し、その暗号化音楽データを復号するコンテンツキーを暗号化コンテンツキー生成回路８９へ出力する。
【００４０】
暗号化コンテンツキー生成回路８９は、データ部９０から入力したコンテンツキーを固有ＩＤ認識回路８８から入力した固有ＩＤ２０１に基づいて暗号化し、その暗号化した暗号化コンテンツキーを送信部９１へ出力する。
【００４１】
送信部９１は、暗号化音楽データ、著作権情報、および暗号化コンテンツキーを携帯電話１へ送信する。
【００４２】
携帯電話１は、音楽情報サーバ１０から暗号化音楽データ（１）２０５、著作権情報（１）２０６、および暗号化コンテンツキー（１）２０２を受信すると、メモリコントローラ８２は、コントローラ８１からの制御に基づいて、暗号化音楽データ（１）２０５、著作権情報（１）２０６、および暗号化コンテンツキー（１）２０２をデータ記録部８４０を介してメモりカード２０に記録する。また、固有ＩＤ生成回路８０は、携帯電話１の電話番号に基づいて固有ＩＤ２０１を生成するので、メモリコントローラ８２は、その生成した固有ＩＤ２０１もデータ記録部８４０を介してメモりカード２０に記録する。これにより、メモリカード２０への固有ＩＤ２０１、暗号化コンテンツキー（１）２０２、暗号化音楽データ（１）２０５、および著作権情報（１）２０６の記録は終了する。
【００４３】
暗号化音楽データ（１）２０５を再生する場合には、コントローラ８１は、メモリカード２０に記録した固有ＩＤ２０１、暗号化コンテンツキー（１）２０２、および暗号化音楽データ（１）２０５を再生するようにデータ再生部８５を制御する。
【００４４】
データ再生部８５は、後述する方法により暗号化音楽データ（１）２０５を再生する。
【００４５】
また、複数のメモリカードに記録された暗号化コンテンツキー、暗号化音楽データ、および著作権情報を１単位とする複数の音楽データから希望する音楽データだけを編集した場合には、コントローラ８１は、データ編集部８４を制御する。
【００４６】
データ編集部８４は、後述する方法により希望する音楽データを編集する。
【００４７】
音楽情報サーバ１０の構成は、図２に示すものに限らず、図３に示す構成であっても良い。図３においては、携帯電話１の構成は図２に示す携帯電話１の構成と同じであるので、その説明を省略する。
【００４８】
音楽情報サーバ１０は、受信部８７と、固有ＩＤ認識回路８８と、暗号化コンテンツキー生成回路８９と、コンテンツキー生成回路９２と、データ部９３と、暗号化回路９４と、送信部９１とを備える。
【００４９】
受信部８７、固有ＩＤ認識回路８８、暗号化コンテンツキー生成回路８９、および送信部９１の機能は図２の場合と同じであるので、その説明を省略する。
【００５０】
コンテンツキー生成回路９２は、音楽データを暗号化した暗号化音楽データを復号するコンテンツキーを生成し、その生成したコンテンツキーを暗号化コンテンツキー生成回路８９と暗号化回路９４とへ出力する。
【００５１】
データ部９３は、暗号化されていない音楽データをその著作権情報と共に収納しており、受信部８７から音楽データを指定されると、その指定された暗号化されていない音楽データを暗号化回路９４へ出力し、その音楽データに関連する著作権情報を送信部９１へ出力する。
【００５２】
暗号化回路９４は、データ部９３から入力した音楽データを、コンテンツキー生成回路９２から入力したコンテンツキーにより暗号化し、その暗号化した暗号化音楽データを送信部９１へ出力する。
【００５３】
携帯電話１の持ち主が音楽情報サーバ１０から音楽データを購入し、その購入した音楽データを再生等する動作について説明する。
【００５４】
携帯電話１から音楽情報サーバ１０へ通話し、購入したい音楽データを指定する動作は図２の説明と同じである。
【００５５】
音楽情報サーバ１０の受信部８７は、携帯電話１からの通話により、携帯電話１の電話番号と購入する音楽データの番号とを受信し、携帯電話１の電話番号を固有ＩＤ認識回路８８へ出力し、音楽データの番号をデータ部９３へ出力する。
【００５６】
固有ＩＤ認識回路８８は、入力した携帯電話１の電話番号から固有ＩＤ２０１を認識し、その認識した固有ＩＤ２０１を暗号化コンテンツキー生成回路８９へ出力する。
【００５７】
データ部９３は、受信部８７から購入する音楽データの番号を入力すると、その番号に対応する音楽データを暗号化回路９４へ出力し、その音楽データに関する著作権情報を送信部９１へ出力する。
【００５８】
コンテンツキー生成回路９２は、コンテンツキーを生成し、その生成したコンテンツキーを暗号化コンテンツキー生成回路８９と暗号化回路９４とへ出力する。
【００５９】
暗号化コンテンツキー生成回路８９は、コンテンツキー生成回路９２から入力したコンテンツキーを、固有ＩＤ認識回路８８から入力した固有ＩＤ２０１に基づいて暗号化し、その暗号化した暗号化コンテンツキーを送信部９１へ出力する。
【００６０】
暗号化回路９４は、データ部９３から入力した音楽データを、コンテンツキー生成回路９２から入力したコンテンツキーにより暗号化し、その暗号化した暗号化音楽データを送信部９１へ出力する。
【００６１】
送信部９１は、暗号化音楽データ、暗号化コンテンツキー、および著作権情報を携帯電話１へ送信する。
【００６２】
暗号化音楽データ、暗号化コンテンツキー、および著作権情報を受信した携帯電話１の動作は図２の説明と同じであるので、その説明を省略する。
【００６３】
図４を参照して、メモリカード２０のデータ構成について説明する。メモリカード２０は、セキュリティー領域２５とデータ部２６とから構成されており、セキュリティー領域２５は、携帯電話の持ち主は自由に読み出しが可能であるが、第三者は読み出しができない領域であり、データ部２６は第三者も読み出しができる領域である。固有ＩＤ２０１、暗号化コンテンツキー（１）２０２、暗号化コンテンツキー（２）２０３、および暗号化コンテンツキー（３）２０４は、セキュリティー領域２５に記録され、暗号化音楽データ（１）２０５、著作権情報（１）２０６、暗号化音楽データ（２）２０７、著作権情報（２）２０８、暗号化音楽データ（３）２０９、および著作権情報（３）２１０はデータ領域２６に記録される。
【００６４】
図５を参照して、音楽情報サーバ１０から受信した暗号化音楽データの編集概念について説明する。携帯電話１により音楽情報サーバ１０から暗号化音楽データ、その暗号化音楽データを復号する暗号化コンテンツキー、および暗号化音楽データに関連する著作権情報を１単位として複数の音楽データが記録されたメモリカードがメモリカード２１、２２と複数枚有り、メモリカード２１、２２に記録した音楽データから、希望する音楽データを読み出し、メモリカード２１、２２と異なる他のメモリカード２３に記録し直すことを本願では編集という。
【００６５】
メモリカード２１には、携帯電話１の固有ＩＤ２０１、「暗号化コンテンツキー（１）２０２、暗号化音楽データ（１）２０５、著作権情報（１）２０６」、「暗号化コンテンツキー（３）２０４、暗号化音楽データ（３）２０９、著作権情報（３）２１０」、および「暗号化コンテンツキー（４）２１１、暗号化音楽データ（４）２１４、著作権情報（４）２１５」が記録されており、メモリカード２２には、携帯電話１の固有ＩＤ２０１、「暗号化コンテンツキー（２）２０３、暗号化音楽データ（２）２０７、著作権情報（２）２０８」、「暗号化コンテンツキー（５）２１２、暗号化音楽データ（５）２１６、著作権情報（５）２１７」、および「暗号化コンテンツキー（６）２１３、暗号化音楽データ（６）２１８、著作権情報（６）２１９」が記録されている。この場合に、メモリカード２１に記録された音楽データのうち、「暗号化コンテンツキー（１）２０２、暗号化音楽データ（１）２０５、著作権情報（１）２０６」と「暗号化コンテンツキー（４）２１１、暗号化音楽データ（４）２１４、著作権情報（４）２１５」とを選択し、メモリカード２２に記録された音楽データのうち、「暗号化コンテンツキー（５）２１２、暗号化音楽データ（５）２１６、著作権情報（５）２１７」を選択してメモリカード２３に記録し、メモリカード２１から暗号化コンテンツキー（１）２０２と暗号化コンテンツキー（４）２１１とを消去し、メモリカード２２から暗号化コンテンツキー（５）２１２を消去することによりメモリカード２１、２２からの音楽データの編集が終了する。メモリカード２１、２２から暗号化コンテンツキー、暗号化音楽データ、および著作権情報を読み出し、その読み出した暗号化コンテンツキー、暗号化音楽データ、および著作権情報をメモリカード２３に記録した後、メモリカード２１、２２から読み出した暗号化コンテンツキーを消去するのは、一度、音楽情報サーバ１０から暗号化コンテンツキーを受信した後の他のメモリカードへの自由なコピーを防止する為である。
【００６６】
図６を参照して、図５で説明した編集概念の動作について説明する。携帯電話１は、固有ＩＤ生成部８０、コントローラ８１、メモリコントローラ８２、バス８３、データ編集部８４、データ再生部８５、受信部８６、Ｄ／Ａ変換器６１、第１のメモリ部６２、第２のメモリ部６３および入力部８３０とを備える。
【００６７】
固有ＩＤ生成部８０、コントローラ８１、メモリコントローラ８２、バス８３、受信部８６、および入力部８３０については、図２の説明と同じであるので、その説明を省略する。
【００６８】
第１のメモリ部６２には、メモリカード２１、２２が挿脱され、第２のメモリ部６３にはメモリカード２３が挿脱される。
【００６９】
また、データ編集部８４は、データ記録部８４０と、データ読み出し部８４１と、データ消去部８４２とを備える。データ記録部８４０は、受信部８６が受信した暗号化音楽データ、暗号化コンテンツキー、および著作権情報と、固有ＩＤ生成部８０が生成した固有ＩＤとを、バス８３を介して第１のメモリ部６２に装着されたメモリカード２１、２２に記録すると共に、データ読み出し部８４１により読み出された暗号化音楽データ、暗号化コンテンツキー、および著作権情報を、バス８３を介して第２のメモリ部６３に装着されたメモリカード２３に記録する。
【００７０】
データ読み出し部８４１は、入力部８３０からの入力に基づいて指定された暗号化音楽データ、その暗号化音楽データを復号する暗号化コンテンツキー、および暗号化音楽データに関連する著作権情報を、バス８３を介して第１のメモリ部６２に装着されたメモリカード２１、２２から読み出し、その読み出した暗号化音楽データ、暗号化コンテンツキー、および著作権情報をデータ記録部８４０に出力すると共に、いずれの暗号化コンテンツキーを読み出したかを示す信号をデータ消去部８４２へ出力する。
【００７１】
データ消去部８４２は、データ読み出し部８４１からの信号を入力し、第１のメモリ部６２に装着されたメモリカード２１、２２から読み出された暗号化コンテンツキーを特定し、その特定した暗号化コンテンツキーを、バス８３を介してメモりカード２１、２２から消去する。
【００７２】
図５に示したように、メモリカード２１、２２に記録された音楽データのうち、希望する音楽データをメモリカード２３に編集する場合には、第１のメモリ部６２にメモリカード２１を装着し、入力部８３０からメモリカード２１に記録された音楽データのうち、暗号化音楽データ（１）２０５と暗号化音楽データ（４）２１４を編集する信号を入力すると、データ読み出し部８４１は、第１のメモリ部６２に装着されたメモリカード２１から「暗号化音楽データ（１）２０５、暗号化コンテンツキー（１）２０２、著作権情報（１）２０６」と「暗号化音楽データ（４）２１４、暗号化コンテンツキー（４）２１１、著作権情報（４）２０１５」とを読み出し、その読み出した「暗号化音楽データ（１）２０５、暗号化コンテンツキー（１）２０２、著作権情報（１）２０６」と「暗号化音楽データ（４）２１４、暗号化コンテンツキー（４）２１１、著作権情報（４）２０１５」とをデータ記録部８４０へ出力すると共に、暗号化コンテンツキー（１）２０２と暗号化コンテンツキー（４）２１１とを読み出したことを示す信号をデータ消去部８４２へ出力する。データ記録部８４０は、入力した「暗号化音楽データ（１）２０５、暗号化コンテンツキー（１）２０２、著作権情報（１）２０６」と「暗号化音楽データ（４）２１４、暗号化コンテンツキー（４）２１１、著作権情報（４）２０１５」とを第２のメモリ部６３に装着されたメモリカード２３に記録する。また、データ消去部８４２は、第１のメモリ部６２に装着されたメモリカード２１から暗号化コンテンツキー（１）２０２と暗号化コンテンツキー（４）２１１とを消去する。
【００７３】
次に、第１のメモリ部６２にメモリカード２２を装着し、入力部８３０からメモリカード２２に記録された音楽データのうち、暗号化音楽データ（５）２１６を編集する信号を入力すると、データ読み出し部８４１は、第１のメモリ部６２に装着されたメモリカード２２から「暗号化音楽データ（５）２１６、暗号化コンテンツキー（５）２１２、著作権情報（５）２１７」を読み出し、その読み出した「暗号化音楽データ（５）２１６、暗号化コンテンツキー（５）２１２、著作権情報（５）２１７」をデータ記録部８４０へ出力すると共に、暗号化コンテンツキー（５）２１２を読み出したことを示す信号をデータ消去部８４２へ出力する。データ記録部８４０は、入力した「暗号化音楽データ（５）２１６、暗号化コンテンツキー（５）２１２、著作権情報（５）２１７」を第２のメモリ部６３に装着されたメモリカード２３に記録する。また、データ消去部８４２は、第１のメモリ部６２に装着されたメモリカード２２から暗号化コンテンツキー（５）２１２を消去する。また、データ記録部８４０は、固有ＩＤ生成部８０により生成された固有ＩＤ２０１をメモリカード２３に記録する。これによりメモリカード２１、２２からメモリカード２３への音楽データの編集が終了する。
【００７４】
メモリカード２０、２１、２２、２３に記録された音楽データを再生する場合には、コントローラ８１は、データ再生部８５を制御し、データ再生部８５は、バス８３を介して第１のメモリ部６２に装着されたメモリカード２０、２１、２２、または第２のメモリ部６３に装着されたメモリカード２３から暗号化音楽データ等を読み出し、音楽データを再生する。図７を参照して、データ再生部８５は第１の復号器６０１と、第２の復号器６０２とを備える。第１の復号器６０１は、メモリカード２０から読み出された固有ＩＤ２０１と暗号化コンテンツキー（１）２０２とを入力し、その暗号化コンテンツキー（１）２０２が固有ＩＤ２０１に基づいて暗号化されているか否かを判別し、固有ＩＤ２０１に基づいて暗号化されている場合は、暗号化コンテンツキー（１）を復号し、その復号したコンテンツキーを第２の復号器６０２へ出力する。暗号化コンテンツキー（１）２０２が固有ＩＤ２０１に基づいて暗号化されていない時は、第１の復号器６０１は暗号化コンテンツキー（１）２０２を復号せず、暗号化音楽データ（１）２０５の再生がストップする。即ち、暗号化コンテンツキー（１）２０２が固有ＩＤ２０１に基づいて暗号化されている場合に限り、暗号化音楽データ（１）２０５を復号でき、再生できることになる。
【００７５】
第２の復号器６０２は、メモリカード２０から読み出された暗号化音楽データ（１）２０５を入力し、第１の復号器６０１から入力したコンテンツキーに基づいて暗号化音楽データ（１）２０５を復号し、その復号した音楽データを図６に示すＤ／Ａ変換器６１へ出力する。Ｄ／Ａ変換器６１は、音楽データをディジタルからアナログへ変換して外部出力へ出力する。これによりメモリカードに記録された音楽データが再生される。
【００７６】
本願発明においては、データ編集を行う携帯電話１の構成は図６に示す構成に限らず、図８に示す構成であってもよい。図８に示す携帯電話１の構成は、図６に示す構成に対し、第１のメモリ部６２のみを有し、データ編集部７０がデータ記録部８４０と、データ読み出し部８４１と、データ消去部８４２と、記憶部８４３とを含む点が異なるだけであり、その他は同じである。データ編集部７０の構成要素のうち、データ記録部８４０、データ読み出し部８４１、およびデータ消去部８４２は図６に示すものと同じであるので、その説明を省略する。記憶部は、データ読み出し部８４１が読み出した暗号化音楽データ、暗号化コンテンツキー、および著作権情報を記憶し、データ記録部８４０からの信号によりデータ記録部８４０へ記憶した暗号化音楽データ、暗号化コンテンツキー、および著作権情報を出力する。
【００７７】
図５に示したように、メモリカード２１、２２に記録された音楽データのうち、希望する音楽データをメモリカード２３に編集する場合には、第１のメモリ部６２にメモリカード２１を装着し、入力部８３０からメモリカード２１に記録された音楽データのうち、暗号化音楽データ（１）２０５と暗号化音楽データ（４）２１４を編集する信号を入力すると、データ読み出し部８４１は、第１のメモリ部６２に装着されたメモリカード２１から「暗号化音楽データ（１）２０５、暗号化コンテンツキー（１）２０２、著作権情報（１）２０６」と「暗号化音楽データ（４）２１４、暗号化コンテンツキー（４）２１１、著作権情報（４）２０１５」とを読み出し、その読み出した「暗号化音楽データ（１）２０５、暗号化コンテンツキー（１）２０２、著作権情報（１）２０６」と「暗号化音楽データ（４）２１４、暗号化コンテンツキー（４）２１１、著作権情報（４）２０１５」とを記憶部８４３へ出力すると共に、暗号化コンテンツキー（１）２０２と暗号化コンテンツキー（４）２１１とを読み出したことを示す信号をデータ消去部８４２へ出力する。記憶部８４３は、入力した「暗号化音楽データ（１）２０５、暗号化コンテンツキー（１）２０２、著作権情報（１）２０６」と「暗号化音楽データ（４）２１４、暗号化コンテンツキー（４）２１１、著作権情報（４）２０１５」とを記憶する。また、データ消去部８４２は、第１のメモリ部６２に装着されたメモリカード２１から暗号化コンテンツキー（１）２０２と暗号化コンテンツキー（４）２１１とを消去する。
【００７８】
次に、第１のメモリ部６２にメモリカード２２を装着し、入力部８３０からメモリカード２２に記録された音楽データのうち、暗号化音楽データ（５）２１６を編集する信号を入力すると、データ読み出し部８４１は、第１のメモリ部６２に装着されたメモリカード２２から「暗号化音楽データ（５）２１６、暗号化コンテンツキー（５）２１２、著作権情報（５）２１７」を読み出し、その読み出した「暗号化音楽データ（５）２１６、暗号化コンテンツキー（５）２１２、著作権情報（５）２１７」を記憶部８４３へ出力すると共に、暗号化コンテンツキー（５）２１２を読み出したことを示す信号をデータ消去部８４２へ出力する。記憶部８４３は、入力した「暗号化音楽データ（５）２１６、暗号化コンテンツキー（５）２１２、著作権情報（５）２１７」を記憶する。また、データ消去部８４２は、第１のメモリ部６２に装着されたメモリカード２２から暗号化コンテンツキー（５）２１２を消去する。
【００７９】
次に、データ編集用メモリカード２３が第１のメモリ部６２に装着されると、データ記録部８４０はコントローラ８１からの制御に基づいて記憶部８４３に記憶された「暗号化音楽データ（１）２０５、暗号化コンテンツキー（１）２０２、著作権情報（１）２０６」、「暗号化音楽データ（４）２１４、暗号化コンテンツキー（４）２１１、著作権情報（４）２０１５」、および「暗号化音楽データ（５）２１６、暗号化コンテンツキー（５）２１２、著作権情報（５）２１７」を読み出し、その読み出した「暗号化音楽データ（１）２０５、暗号化コンテンツキー（１）２０２、著作権情報（１）２０６」、「暗号化音楽データ（４）２１４、暗号化コンテンツキー（４）２１１、著作権情報（４）２０１５」、および「暗号化音楽データ（５）２１６、暗号化コンテンツキー（５）２１２、著作権情報（５）２１７」をバス８３を介して第１のメモリ部６２に装着されたメモリカード２３に記録する。また、データ記録部８４０は、固有ＩＤ生成部８０により生成された固有ＩＤ２０１をメモリカード２３に記録する。これによりメモリカード２１、２２からメモリカード２３への音楽データの編集が終了する。
【００８０】
図８に示す携帯電話１の構成においては、編集した音楽データを全部読み出し、その読み出した音楽データを記憶部８４３に蓄積した後に、新しく装着したメモリカードに記録する。従って、記録動作は一度でよいので、迅速な編集を行うことができる。
【００８１】
上記説明においては、音楽情報サーバから２枚のメモリカードに音楽データを記録した後、音楽データを編集する場合について説明したが、本願発明においては、これに限られるものではなく、一般に、ｎ個のメモリカードに音楽データを記録した後、ｎ個のメモリカードから抽出した少なくとも１枚のメモリカードに記録された音楽データを編集する場合を対象とする。
【００８２】
また、暗号化音楽データおよび著作権情報が他の媒体に複製された後、記録されていた元の媒体から消去しないが、これに限るものではなく、暗号化コンテンツキー、暗号化音楽データ、および著作権情報も元の媒体から消去するようにしても良い。この場合、データ編集部７０、８４を構成するデータ消去部８４２が暗号化音楽データ、著作権情報、および暗号化コンテンツキーを元の媒体から消去することになる。
【図面の簡単な説明】
【図１】音楽配信システムの概念を説明する図である。
【図２】携帯電話と音楽情報サーバの構成図である。
【図３】携帯電話と音楽情報サーバの他の構成図である。
【図４】メモリカードの構成図である。
【図５】データ編集の概念を説明する図である。
【図６】データ編集機能を有する携帯電話の構成図である。
【図７】図６に示すデータ再生部の構成図である。
【図８】データ編集機能を有する携帯電話の他の構成図である。
【符号の説明】
１・・・携帯電話
１０・・・音楽情報サーバ
１５・・・ヘッドホーン
２０、２１、２２、２３・・・メモリカード
２５・・・セキュリティー領域
２６・・・データ領域
６１・・・Ｄ／Ａ変換器
６２・・・第１のメモリ部
６３・・・第２のメモリ部
８０・・・固有ＩＤ生成部
８１・・・コントローラ
８２・・・メモリコントローラ
８３・・・バス
７０、８４・・・データ編集部
８５・・・データ再生部
８６、８７・・・受信部
８８・・・固有ＩＤ認識回路
８９・・・暗号化コンテンツキー生成回路
９０、９３・・・データ部
９１・・・送信部
９２・・・コンテンツキー生成回路
９４・・・暗号化回路
２０１・・・固有ＩＤ１
２０２・・・暗号化コンテンツキー（１）
２０３・・・暗号化コンテンツキー（２）
２０４・・・暗号化コンテンツキー（３）
２０５・・・暗号化音楽データ（１）
２０７・・・暗号化音楽データ（２）
２０９・・・暗号化音楽データ（３）
２０６・・・著作権情報（１）
２０８・・・著作権情報（２）
２１０・・・著作権情報（３）
２１１・・・暗号化コンテンツキー（４）
２１２・・・暗号化コンテンツキー（５）
２１３・・・暗号化コンテンツキー（６）
２１４・・・暗号化音楽データ（４）
２１５・・・著作権情報（４）
２１６・・・暗号化音楽データ（５）
２１７・・・著作権情報（５）
２１８・・・暗号化音楽データ（６）
２１９・・・著作権情報（６）
６０１・・・第１の復号器
６０２・・・第２の復号器
８３０・・・入力部
８４０・・・データ記録部
８４１・・・データ読み出し部
８４２・・・データ消去部
８４３・・・記憶部
【図１】
0004259675.tif 000002
【図２】
0004259675.tif 000003
【図３】
0004259675.tif 000004
【図４】
0004259675.tif 000005
【図５】
0004259675.tif 000006
【図６】
0004259675.tif 000007
【図７】
0004259675.tif 000008
【図８】
0004259675.tif 000009